(57)【要約】【課題】通信用端子の存在によって美観が損なわれたり、ユーザが通信用端子の存在を邪魔に感じたりするのを低減することの可能な音声再生機能付き身飾品を提供する。【解決手段】音声再生機能付き身飾品は、通信用端子孔を表面に有する本体部と、本体部の内部に配置され、通信用端子孔を介して外部機器と接続可能に構成された通信用端子と、本体部の内部に配置され、記録された音声データを再生する機能を有する回路部と、本体部の上部に配置されたキーリング部と、接着剤もしくは粘着剤を介して表面に貼り合わされ、本体部の表面側の面に印刷が施された光透過性のシート状樹脂基材とを備えている。【選択図】図１
0003221359.tif 000002
【実用新案登録請求の範囲】
【請求項１】
通信用端子孔を表面に有する本体部と、
前記本体部の内部に配置され、前記通信用端子孔を介して外部機器と接続可能に構成された通信用端子と、
前記本体部の内部に配置され、記録された音声データを再生する機能を有する回路部と、
前記本体部の上部に配置されたキーリング部と、
接着剤もしくは粘着剤を介して前記表面に貼り合わされ、前記表面側の面に印刷が施された光透過性のシート状樹脂基材と
を備えた
音声再生機能付き身飾品。
【請求項２】
前記通信用端子孔は、前記シート状樹脂基材の印刷によって外部から視認困難な位置に配置されている
請求項１に記載の音声再生機能付き身飾品。
【請求項３】
前記本体部は、音声出力孔を当該本体部の裏面もしくは周面に有するとともに、前記回路部による前記音声データの再生を制御する音声スイッチを当該本体部の裏面もしくは側面に有する
請求項１または請求項２に記載の音声再生機能付き身飾品。
【請求項４】
前記シート状樹脂基材は、アクリル基材、ＰＰ、透明ＡＢＳまたはＰＣである
請求項１から請求項３のいずれか一項に記載の音声再生機能付き身飾品。
【請求項５】
前記本体部は、前記表面を底面に有する凹部を有し、
前記シート状樹脂基材は、前記凹部に嵌め込まれている
請求項１から請求項４のいずれか一項に記載の音声再生機能付き身飾品。
【考案の詳細な説明】
【技術分野】
【０００１】  本考案は、音声再生機能付き身飾品に関する。
【背景技術】
【０００２】  キーホルダーは、キャラクターグッズや記念品として用いられることが多い。そのため、キーホルダーには、製作目的に応じた印刷が施されたりしている。さらに、キーホルダーの付加価値をより一層、向上させるために、製作目的に応じた音声をキーホルダーから出力させる試みもなされている。
【考案の概要】
【考案が解決しようとする課題】
【０００３】  ところで、そのようなキーホルダーの生産数量が少量の場合には、製作目的に応じた専用のハードウェアを設けるといった大量生産向きの構成を採ることが難しい。そのため、製作目的に応じた音声データを記録することの可能な汎用のハードウェアを設けるといった少量生産向きの構成を採ることが考えられる。しかし、そのような構成にした場合には、ユーザにとって必要のない通信用端子を設けることが必要となる。その結果、通信用端子の存在によって美観が損なわれたり、ユーザが通信用端子の存在を邪魔に感じたりしてしまうという問題がある。本考案は、かかる問題点に鑑みてなされたもので、その目的は、通信用端子の存在によって美観が損なわれたり、ユーザが通信用端子の存在を邪魔に感じたりするのを低減することの可能な音声再生機能付き身飾品を提供することにある。
【課題を解決するための手段】
【０００４】  本考案の一実施の形態の音声再生機能付き身飾品は、通信用端子孔を表面に有する本体部と、本体部の内部に配置され、通信用端子孔を介して外部機器と接続可能に構成された通信用端子と、本体部の内部に配置され、記録された音声データを再生する機能を有する回路部と、本体部の上部に配置されたキーリング部と、接着剤もしくは粘着剤を介して表面に貼り合わされ、本体部の表面側の面に印刷が施された光透過性のシート状樹脂基材とを備えている。
【考案の効果】
【０００５】  本考案の一実施の形態の音声再生機能付き身飾品によれば、本体部の表面側の面に印刷が施された光透過性のシート状樹脂基材によって、通信用端子が被覆されている。これにより、通信用端子の存在によって美観が損なわれたり、ユーザが通信用端子の存在を邪魔に感じたりするのを低減することが可能である。特に、通信用端子孔が、シート状樹脂基材の印刷によって外部から視認困難な位置に配置されている場合には、ユーザが通信用端子孔の存在自体に気付き難いので、通信用端子の存在によって美観が損なわれたり、ユーザが通信用端子の存在を邪魔に感じたりするのをほとんどなくすことが可能である。
【図面の簡単な説明】
【０００６】
【図１】本考案の一実施形態の音声再生機能付きキーホルダーの斜視構成図である。
【図２】図１の音声再生機能付きキーホルダーの分解斜視構成図である。
【図３】図１の音声再生機能付きキーホルダーの断面構成図である。
【考案を実施するための形態】
【０００７】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【０００８】［構成］
本考案の一実施の形態に係る音声再生機能付きキーホルダー１の構成について説明する。図１は、音声再生機能付きキーホルダー１の斜視構成を表したものである。図２は、音声再生機能付きキーホルダー１の分解斜視構成を表したものである。図３は、音声再生機能付きキーホルダー１の断面構成を表したものである。図３には、図２のＡ−Ａ線に対応する箇所の断面構成が示されている。なお、図３では、後述のシート状樹脂基材４０および接着剤もしくは粘着剤３０の記載が省略されている。
【０００９】  音声再生機能付きキーホルダー１は、本体部１０と、回路部２０と、接着剤もしくは粘着剤３０と、光透過性のシート状樹脂基材４０と、キーリング部５０とを備えている。シート状樹脂基材４０は、接着剤もしくは粘着剤３０を介して、本体部１０に貼り合わされている。具体的には、シート状樹脂基材４０は、本体部１０の凹部１１に嵌め込まれており、凹部１１の底面（表面１２）に、接着剤もしくは粘着剤３０を介して貼り合わされている。
【００１０】  本体部１０は、音声再生機能付きキーホルダー１の本体部分であり、回路部２０を保護する筐体としての役割を有している。本体部１０は、表面１２、周面１３および裏面１４を有している。表面１２は、上述したように本体部１０の凹部１１の底面であり、平坦面となっている。表面１２には、通信用端子孔１２Ａが設けられている。通信用端子孔１２Ａは、後述の印刷層４１によって外部から視認困難な位置に配置されていることが好ましい。本体部１０の周面１３には、後述の音声スイッチ２３および電源スイッチ２７が露出している。本体部１０の裏面１４には、回路部２０（具体的には後述のスピーカ２４）から発せられる音声の外部への通り道として機能する音声出力孔１４Ａが設けられている。なお、音声スイッチ２３および電源スイッチ２７の少なくとも一方が、本体部１０の裏面１４に露出していてもよい。また、本体部１０の周面１３に、音声出力孔１４Ａが設けられていてもよい。
【００１１】  回路部２０は、本体部１０の内部に配置されている。回路部２０は、例えば、回路基板２１と、通信用端子２２と、音声スイッチ２３と、スピーカ２４と、電池２５と、ＩＣ（Ｉｎｔｅｇｒａｔｅｄ  Ｃｉｒｃｕｉｔ）２６と、電源スイッチ２７とによって構成されている。回路基板２１には、通信用端子２２、音声スイッチ２３、スピーカ２４、電池２５、ＩＣ２６および電源スイッチ２７が実装されている。
【００１２】  通信用端子２２は、通信用端子孔１２Ａを介して外部機器と接続可能に構成されており、通信用端子孔１２Ａと対向する位置に配置されている。通信用端子２２は、例えば、ＵＳＢ（Ｕｎｉｖｅｒｓａｌ  Ｓｅｒｉａｌ  Ｂｕｓ）端子である。音声スイッチ２３は、ＩＣ２６に記録された音声データの再生処理を開始させるためのスイッチである。スピーカ２４は、ＩＣ２６から入力された音声信号を音声として出力する。電池２５は、ＩＣ２６に電力を供給する。ＩＣ２６は、汎用のハードウェアであり、例えば、ＣＰＵおよび内部メモリストレージを含んで構成されている。ＩＣ２６は、通信用端子２２を介して外部機器から入力された音声データを内部メモリストレージに記録するとともに、内部メモリストレージに記録している音声データを読み出し再生する機能（音声再生機能）を有している。ＩＣ２６は、音声スイッチ２３からの信号に基づいて、スピーカ２４を介した音声再生を行う。電源スイッチ２７は、電池２５からＩＣ２６への電力供給をオンオフするためのスイッチである。
【００１３】  接着剤もしくは粘着剤３０は、本体部１０（具体的には表面１２）とシート状樹脂基材４０とを互いに固定している。接着剤もしくは粘着剤３０は、光透過性の材料によって構成されている。
【００１４】  シート状樹脂基材４０は、光透過性の樹脂材料によって構成されている。シート状樹脂基材４０は、例えば、アクリル基材、ＰＰ（ポリプロピレン）、透明ＡＢＳ（アクリルニトリル  ブタジエン  スチレン）またはＰＣ（ポリカーボネート）である。アクリル基材は、光透過性に優れており、かつ、傷などに強い特徴を有している。シート状樹脂基材４０には、本体部１０の表面１２側の面に印刷（印刷層４１）が施されている。つまり、印刷層４１は、本体部１０の表面１２と、シート状樹脂基材４０とによって挟まれており、シート状樹脂基材４０によって保護されている。本体部１０を表面１２の法線方向（垂直方向）から眺めたときに、シート状樹脂基材４０は、シート状樹脂基材４０と略同じ大きさとなっている。また、本体部１０を表面１２の法線方向（垂直方向）から眺めたときに、通信用端子２２は、シート状樹脂基材４０によって外部から視認困難となっているか、または、印刷層４１によって外部から視認困難となっていることが好ましい。
【００１５】  キーリング部５０は、孔を備えた物品（例えば鍵など）の孔に挿通させ、当該物品を束ねるためのリング状部材５１と、このリング状部材５１と本体部１０の上部とを連結する鎖状部材５２とによって構成されている。鎖状部材５２の先端部分が、本体部１０に対して着脱可能に固定されている。
【００１６】［製作方法］
次に、音声再生機能付きキーホルダー１の製作方法の一例について説明する。まず、回路部２０を本体部１０の内部に配置する。次に、通信用端子２２に外部機器を接続し、通信用端子２２を介して、外部機器から回路部２０（具体的にはＩＣ２６の内部メモリストレージ）に音声データを記録する。これにより、ＩＣ２６の内部メモリストレージには、音声データが記録される。次に、外部機器を通信用端子２２から取り外した後、シート状樹脂基材４０を、本体部１０の凹部１１に嵌め込むとともに、接着剤もしくは粘着剤３０を介して本体部１０の表面１２に貼り合わせる。このとき、シート状樹脂基材４０を、印刷（印刷層４１）が本体部１０の表面１２側の面となるように本体部１０の表面１２に貼り合わせる。このようにして、音声再生機能付きキーホルダー１が製造される。
【００１７】［効果］
次に、音声再生機能付きキーホルダー１の効果について説明する。
【００１８】  キーホルダーは、キャラクターグッズや記念品として用いられることが多い。そのため、キーホルダーには、製作目的に応じた印刷が施されたりしている。さらに、キーホルダーの付加価値をより一層、向上させるために、製作目的に応じた音声をキーホルダーから出力させる試みもなされている。
【００１９】  ところで、そのようなキーホルダーの生産数量が少量の場合には、製作目的に応じた専用のハードウェアを設けるといった大量生産向きの構成を採ることが難しい。そのため、製作目的に応じた音声データを記録することの可能な汎用のハードウェアを設けるといった少量生産向きの構成を採ることが考えられる。しかし、そのような構成にした場合には、ユーザにとって必要のない通信用端子を設けることが必要となるので、通信用端子の存在によって美観が損なわれたり、ユーザが通信用端子の存在を邪魔に感じたりしてしまうという問題がある。
【００２０】  一方、音声再生機能付きキーホルダー１では、本体部１０の表面１２側の面に印刷（印刷層４１）が施された光透過性のシート状樹脂基材４０によって、通信用端子２２が被覆されている。これにより、通信用端子２２の存在によって美観が損なわれたり、ユーザが通信用端子２２の存在を邪魔に感じたりするのを低減することが可能である。特に、通信用端子２２が、シート状樹脂基材４０の印刷（印刷層４１）によって外部から視認困難な位置に配置されている場合には、ユーザが通信用端子２２の存在自体に気付き難いので、通信用端子２２の存在によって美観が損なわれたり、ユーザが通信用端子２２の存在を邪魔に感じたりするのをほとんどなくすことが可能である。
【００２１】  また、音声再生機能付きキーホルダー１では、音声出力孔１４Ａが本体部１０の裏面１４もしくは周面１３に設けられるとともに、回路部２０による音声データの再生を制御する音声スイッチ２３が本体部１０の裏面１４もしくは周面１３に設けられている。これにより、音声出力や音声出力の制御がシート状樹脂基材４０によって妨げられることがない。
【００２２】  また、音声再生機能付きキーホルダー１では、シート状樹脂基材４０の表面１２側の面に印刷（印刷層４１）が施されている。これにより、印刷（印刷層４１）は、シート状樹脂基材４０によって保護される。その結果、印刷（印刷層４１）の絵柄が傷つくのを防止することができる。
【００２３】  また、音声再生機能付きキーホルダー１において、シート状樹脂基材４０がアクリル基材である場合には、シート状樹脂基材４０の光透過性が非常に優れており、しかも、シート状樹脂基材４０自体にも傷が付き難い。従って、シート状樹脂基材４０によって、印刷（印刷層４１）の美しさが損なわれることがない。
【００２４】  また、音声再生機能付きキーホルダー１では、シート状樹脂基材４０が本体部１０の凹部１１に嵌め込まれている。これにより、シート状樹脂基材４０が、外部からの衝撃などによって本体部１０から剥がれてしまうのを防止することができる。また、シート状樹脂基材４０が本体部１０と一体となっているので、ユーザがシート状樹脂基材４０を本体部１０から剥がすことが難しく、通信用端子２２の存在をユーザに知られる可能性を低くすることができる。
【符号の説明】
【００２５】  １…音声再生機能付きキーホルダー、１０…本体部、１１…凹部、１２…表面、１２Ａ…通信用端子孔、１３…周面、１４…裏面、１４Ａ…音声出力孔、２０…回路部、２１…回路基板、２２…通信用端子、２３…音声スイッチ、２４…スピーカ、２５…電池、２６…ＩＣ、２７…電源スイッチ、３０…接着剤もしくは粘着剤、４０…シート状樹脂基材、４１…印刷層、５０…キーリング部、５１…リング状部材、５２…鎖状部材。
【図１】
0003221359.tif 000003
【図２】
0003221359.tif 000004
【図３】
0003221359.tif 000005